(57)【特許請求の範囲】
【請求項１】
少なくとも１つの印刷装置と通信可能に接続される情報処理装置と、
ファクシミリデータを受信可能であって前記情報処理装置と通信可能に接続されるファクシミリ装置と、
を有し、
前記情報処理装置は、
前記少なくとも１つの印刷装置と通信を行うための第１の通信部と、
前記ファクシミリ装置と通信を行うための第２の通信部と、
第１の制御部と、
を備え、
前記ファクシミリ装置は、
前記情報処理装置と通信を行うための第３の通信部と、
前記ファクシミリデータを受信するための第４の通信部と、
受信した前記ファクシミリデータが示す画像を印刷する印刷部と、
第２の制御部と、
を備え、
前記第１の制御部は、
前記情報処理装置に接続されている前記少なくとも１つの印刷装置のうち特定の１つの印刷装置で印刷可能な記録紙の最大サイズである印刷装置側最大サイズを前記第１の通信部を介して受信する印刷装置側受信処理と、
前記印刷装置側受信処理により受信された前記印刷装置側最大サイズと前記印刷部で印刷可能な記録紙の最大サイズである既定最大サイズとを比較し、前記印刷装置側最大サイズが前記既定最大サイズよりも大きい場合に前記印刷装置側最大サイズを示す情報を前記第２の通信部を介して前記ファクシミリ装置へ送信する情報送信処理と、
を実行し、
前記第２の制御部は、
前記情報処理装置における前記情報送信処理によって送信された前記印刷装置側最大サイズを示す情報を前記第３の通信部を介して受信する情報受信処理と、
ファクシミリ受信側で記録可能な記録紙の最大サイズを示すサイズ情報を前記第４の通信部を介してファクシミリ送信側へ送信する処理であって、前記情報受信処理によって前記印刷装置側最大サイズを示す情報が受信されていない場合は前記既定最大サイズを示す前記サイズ情報をファクシミリ送信側へ送信し、前記情報受信処理によって前記印刷装置側最大サイズを示す情報が受信された場合はその受信された印刷装置側最大サイズを示す前記サイズ情報をファクシミリ送信側へ送信する、サイズ情報送信処理と、
を実行する、ファクシミリシステム。
【請求項２】
請求項１に記載のファクシミリシステムであって、
前記情報処理装置の前記第１の制御部は、
前記ファクシミリ装置から前記第２の通信部を介して前記既定最大サイズを示す情報を受信する既定受信処理を実行し、
前記情報送信処理では、前記既定受信処理で受信された前記既定最大サイズ、及び前記印刷装置側受信処理で受信された前記印刷装置側最大サイズに基づいて前記比較を行う、
ファクシミリシステム。
【請求項３】
請求項１又は請求項２に記載のファクシミリシステムであって、
前記ファクシミリ装置は、
情報を記憶可能な記憶部を備え、
前記ファクシミリ装置の前記第２の制御部は、
前記情報受信処理によって前記印刷装置側最大サイズを示す情報が受信された場合にその受信された印刷装置側最大サイズを示す情報を前記記憶部に記憶する記憶処理を実行し、
前記サイズ情報送信処理では、前記記憶部に前記印刷装置側最大サイズを示す情報が記憶されていない場合は前記既定最大サイズを示す前記サイズ情報をファクシミリ送信側へ送信し、前記記憶部に前記印刷装置側最大サイズを示す情報が記憶されている場合はその記憶されている印刷装置側最大サイズを示す前記サイズ情報をファクシミリ送信側へ送信する、
ファクシミリシステム。
【請求項４】
請求項１〜請求項３の何れか１項に記載のファクシミリシステムであって、
前記情報処理装置は、
入力操作を受け付ける入力部を備え、
前記情報処理装置の前記第１の制御部は、
前記印刷装置側受信処理では、前記情報処理装置に接続されている前記少なくとも１つの印刷装置の各々から、その印刷装置で印刷可能な記録紙の最大サイズを前記第１の通信部を介して受信し、
前記ファクシミリデータを印刷させる前記印刷装置を選択するための入力操作を前記入力部を介して受け付ける入力処理を実行し、
前記情報送信処理では、前記入力処理により入力された前記印刷装置を前記特定の１つの印刷装置とし、前記印刷装置側受信処理によって受信された前記少なくとも１つの印刷装置毎の前記最大サイズのうち、その特定の１つの印刷装置の前記最大サイズを前記印刷装置側最大サイズとして前記既定最大サイズと比較する、
ファクシミリシステム。
【請求項５】
請求項４に記載のファクシミリシステムであって、
前記情報処理装置は、
情報を表示可能な表示部を備え、
前記少なくとも１つの印刷装置の中から何れか１つを選択させるための、前記少なくとも１つの印刷装置毎にその印刷装置の名称を示す情報及びその印刷装置の前記最大サイズを示す情報を含む選択画面を前記表示部に表示させる表示処理を実行し、
前記入力処理では、前記表示部に表示された前記選択画面に対する前記入力操作を前記入力部を介して受け付ける、
ファクシミリシステム。
【請求項６】
請求項１〜請求項５の何れか１項に記載のファクシミリシステムであって、
前記ファクシミリ装置は、
情報を記憶可能な記憶部を備え、
前記ファクシミリ装置の前記第２の制御部は、
前記サイズ情報送信処理による前記サイズ情報の送信後、ファクシミリ送信側から送信された前記ファクシミリデータを前記第４の通信部を介して受信する第１のファクシミリデータ受信処理と、
前記第１のファクシミリデータ受信処理により受信された前記ファクシミリデータを前記記憶部に記憶するデータ記憶処理と、
を実行し、
前記情報処理装置の前記第１の制御部は、
前記ファクシミリ装置から、前記記憶部に記憶されている前記ファクシミリデータを、前記第２の通信部を介して受信する第２のファクシミリデータ受信処理を実行する、
ファクシミリシステム。
【請求項７】
少なくとも１つの印刷装置と通信可能に接続される情報処理装置と、
ファクシミリデータを受信可能であって前記情報処理装置と通信可能に接続されるファクシミリ装置と、
を有するファクシミリシステムにおける、前記情報処理装置が有するコンピュータに実行させるためのプログラムであって、
前記ファクシミリ装置は、受信した前記ファクシミリデータが示す画像を印刷する印刷部を備え、
前記ファクシミリ装置は、ファクシミリ受信側で記録可能な記録紙の最大サイズを示すサイズ情報をファクシミリ送信側へ送信するサイズ情報送信処理を実行するように構成されていて、前記サイズ情報送信処理においては、前記情報処理装置から、前記情報処理装置に接続されている前記少なくとも１つの印刷装置のうち特定の１つの印刷装置で印刷可能な記録紙の最大サイズである印刷装置側最大サイズを示す情報が受信されていない場合は、前記印刷部で印刷可能な記録紙の最大サイズである既定最大サイズを示す前記サイズ情報をファクシミリ送信側へ送信し、前記情報処理装置から前記印刷装置側最大サイズを示す情報が受信された場合はその受信された前記印刷装置側最大サイズを示す前記サイズ情報をファクシミリ送信側へ送信するように構成されており、
当該プログラムは、前記コンピュータに、
前記印刷装置側最大サイズを受信する印刷装置側受信処理と、
前記印刷装置側受信処理により受信された前記印刷装置側最大サイズと前記既定最大サイズとを比較し、前記印刷装置側最大サイズが前記既定最大サイズよりも大きい場合に前記印刷装置側最大サイズを示す情報を前記ファクシミリ装置へ送信する情報送信処理と、
を実行させるためのプログラム。
【請求項８】
少なくとも１つの印刷装置と通信可能に接続され、且つファクシミリデータを受信可能なファクシミリ装置と通信可能に接続される情報処理装置であって、
前記ファクシミリ装置は、受信した前記ファクシミリデータが示す画像を印刷する印刷部を備え、
前記ファクシミリ装置は、ファクシミリ受信側で記録可能な記録紙の最大サイズを示すサイズ情報をファクシミリ送信側へ送信するサイズ情報送信処理を実行するように構成されていて、前記サイズ情報送信処理においては、前記情報処理装置から、前記情報処理装置に接続されている前記少なくとも１つの印刷装置のうち特定の１つの印刷装置で印刷可能な記録紙の最大サイズである印刷装置側最大サイズを示す情報が受信されていない場合は、前記印刷部で印刷可能な記録紙の最大サイズである既定最大サイズを示す前記サイズ情報をファクシミリ送信側へ送信し、前記情報処理装置から前記印刷装置側最大サイズを示す情報が受信された場合はその受信された前記印刷装置側最大サイズを示す前記サイズ情報をファクシミリ送信側へ送信するように構成されており、
当該情報処理装置は、
前記少なくとも１つの印刷装置と通信を行うための第１の通信部と、
前記ファクシミリ装置と通信を行うための第２の通信部と、
制御部と、
を備え、
前記制御部は、
前記印刷装置側最大サイズを前記第１の通信部を介して受信する印刷装置側受信処理と、
前記印刷装置側受信処理により受信された前記印刷装置側最大サイズと前記既定最大サイズとを比較し、前記印刷装置側最大サイズが前記既定最大サイズよりも大きい場合に前記印刷装置側最大サイズを示す情報を前記第２の通信部を介して前記ファクシミリ装置へ送信する情報送信処理と、
を実行する、情報処理装置。
【請求項９】
ファクシミリデータを受信可能であって且つ情報処理装置と通信可能に接続されたファクシミリ装置であって
当該ファクシミリ装置は、
前記情報処理装置と通信を行うための装置間通信部と、
前記ファクシミリデータを受信するためのファクシミリ通信部と、
受信した前記ファクシミリデータが示す画像を印刷する印刷部と、
制御部と、
を備え、
前記情報処理装置は、少なくとも１つの印刷装置と通信可能に接続され、前記少なくとも１つの印刷装置のうち特定の１つの印刷装置で印刷可能な記録紙の最大サイズである印刷装置側最大サイズを受信し、その受信した印刷装置側最大サイズと前記印刷部で印刷可能な記録紙の最大サイズである既定最大サイズとを比較し、前記印刷装置側最大サイズが前記既定最大サイズよりも大きい場合に前記印刷装置側最大サイズを示す情報を当該ファクシミリ装置へ送信するように構成されており、
前記制御部は、
前記情報処理装置から送信された前記印刷装置側最大サイズを示す情報を前記装置間通信部を介して受信する情報受信処理と、
ファクシミリ受信側で記録可能な記録紙の最大サイズを示すサイズ情報を前記ファクシミリ通信部を介してファクシミリ送信側へ送信する処理であって、前記情報受信処理によって前記印刷装置側最大サイズを示す情報が受信されていない場合は前記既定最大サイズを示す前記サイズ情報をファクシミリ送信側へ送信し、前記情報受信処理によって前記印刷装置側最大サイズを示す情報が受信された場合はその受信した印刷装置側最大サイズを示す前記サイズ情報をファクシミリ送信側へ送信する、サイズ情報送信処理を実行する、
ファクシミリ装置。
【発明の詳細な説明】
【技術分野】
【０００１】
本発明は、ファクシミリ装置で受信されたファクシミリデータを情報処理装置へ送信する技術に関する。
【背景技術】
【０００２】
他のファクシミリ装置から受信したファクシミリデータを一旦メモリに蓄積し、その後にパソコンへ送信するように構成されたファクシミリ装置が知られている（例えば、特許文献１参照。）。
【０００３】
特許文献１に記載の技術によれば、ファクシミリ装置で受信されたファクシミリデータをパソコン側で表示させることができ、パソコンに接続された印刷装置で印刷させることもできる。
【先行技術文献】
【特許文献】
【０００４】
【特許文献１】特開平１１−６９０６９号公報
【発明の概要】
【発明が解決しようとする課題】
【０００５】
ファクシミリ装置においては、一般に、着呼を受けると、ファクシミリ送信側との間で所定の接続手順に従った接続動作が行われ、その接続動作の中で、ファクシミリ装置で印刷可能な用紙の最大サイズに関する情報がファクシミリ送信側へ送信される。
【０００６】
ファクシミリ送信側は、ファクシミリ受信側から送信された最大サイズに基づき、その最大サイズに見合ったサイズの画像のファクシミリデータを送信する。例えば、ファクシミリ送信側の画像のサイズがＡ３であって、ファクシミリ受信側の最大サイズもＡ３である場合は、ファクシミリ送信側からは、Ａ３の画像のファクシミリデータが送信される。一方、ファクシミリ受信側の最大サイズが例えばＡ４である場合は、ファクシミリ送信側においては、元のＡ３の画像が例えばＡ４に縮小されて送信される。つまり、ファクシミリ受信側の最大サイズがファクシミリ送信側の元の画像サイズよりも小さい場合は、ファクシミリ送信側において画像サイズが縮小されて送信される。
【０００７】
ファクシミリ受信側の最大サイズによって画像のサイズが縮小されると、その画像を例えばパソコンで閲覧した場合に、サイズが小さくて見にくい可能性がある。また、パソコンに接続されている印刷装置が例えば最大でＡ３の用紙に印刷可能に構成されていても、受信される画像のサイズはあくまでもファクシミリ受信側の最大サイズに依存するため、ファクシミリ受信側の最大サイズがＡ３よりも小さければそれに合わせて画像サイズが縮小されて受信されるため、Ａ３の用紙に印刷する能力を持つ印刷装置を有効利用できない。
【０００８】
本発明は上記課題に鑑みなされたものであり、ファクシミリ装置で受信されたファクシミリデータを情報処理装置へ送信可能なシステムにおいて、ファクシミリ装置で印刷可能な最大サイズがファクシミリ送信側の元の画像のサイズよりも小さくても、情報処理装置に接続される印刷装置で印刷可能な最大サイズがファクシミリ装置で印刷可能な最大サイズよりも大きい場合には、印刷装置側の最大サイズを考慮したサイズの画像がファクシミリ送信側から送信されるようにすることを目的とする。
【課題を解決するための手段】
【０００９】
本発明のファクシミリシステムは、少なくとも１つの印刷装置と通信可能に接続される情報処理装置と、ファクシミリデータを受信可能であって情報処理装置と通信可能に接続されるファクシミリ装置と、を有する。
【００１０】
情報処理装置は、前記少なくとも１つの印刷装置と通信を行うための第１の通信部と、ファクシミリ装置と通信を行うための第２の通信部と、第１の制御部と、を備える。
第１の制御部は、印刷装置側受信処理と、情報送信処理とを実行する。印刷装置側受信処理は、情報処理装置に接続されている前記少なくとも１つの印刷装置のうち特定の１つの印刷装置で印刷可能な記録紙の最大サイズである印刷装置側最大サイズを第１の通信部を介して受信する処理である。情報送信処理は、印刷装置側受信処理により受信された印刷装置側最大サイズを示す情報を第２の通信部を介してファクシミリ装置へ送信する処理である。
【００１１】
ファクシミリ装置は、情報処理装置と通信を行うための第３の通信部と、ファクシミリデータを受信するための第４の通信部と、受信したファクシミリデータが示す画像を印刷する印刷部と、第２の制御部と、を備える。
【００１２】
第２の制御部は、情報受信処理と、サイズ情報送信処理とを実行する。情報受信処理は、情報処理装置における情報送信処理によって送信された印刷装置側最大サイズを示す情報を第３の通信部を介して受信する処理である。サイズ情報送信処理は、ファクシミリ受信側で記録可能な記録紙の最大サイズを示すサイズ情報を第４の通信部を介してファクシミリ送信側へ送信する処理である。より具体的に、サイズ情報送信処理は、印刷部で印刷可能な記録紙の最大サイズである既定最大サイズが情報受信処理により受信した情報が示す印刷装置側最大サイズと同じか若しくはそれ以上である場合、既定最大サイズを示すサイズ情報をファクシミリ送信側へ送信し、情報受信処理により受信した情報が示す印刷装置側最大サイズが既定最大サイズよりも大きい場合、その受信した印刷装置側最大サイズを示すサイズ情報をファクシミリ送信側へ送信する処理である。
【００１３】
このような構成のファクシミリシステムでは、情報処理装置は、接続されている特定の１つの印刷装置の印刷装置側最大サイズを示す情報を受信して、その印刷装置側最大サイズを示す情報をファクシミリ装置へ送信する。
【００１４】
ファクシミリ装置は、ファクシミリデータを受信するファクシミリ受信側として記録可能な記録紙の最大サイズを示すサイズ情報をファクシミリ送信側へ送信するが、単にファクシミリ装置自身の既定最大サイズを示すサイズ情報を送信するわけではない。ファクシミリ装置は、情報処理装置から送信された上記情報に基づき、印刷装置側最大サイズが既定最大サイズ以下であれば既定最大サイズをファクシミリ送信側に送信するが、印刷装置側最大サイズが既定最大サイズよりも大きい場合は、印刷装置側最大サイズをファクシミリ送信側に送信する。
【００１５】
従って、このような構成のファクシミリシステムによれば、ファクシミリ受信時、印刷装置側最大サイズが既定最大サイズよりも大きい場合は、サイズ情報として印刷装置側最大サイズを示す情報がファクシミリ送信側に送信される。これにより、ファクシミリ送信側では、印刷装置側最大サイズに基づいて、画像サイズの縮小の要否や、縮小する場合における縮小率などが決定される。そのため、ファクシミリ装置で印刷可能な最大サイズがファクシミリ送信側の元の画像のサイズよりも小さくても、印刷装置側の最大サイズを考慮したサイズの画像をファクシミリ送信側から送信させることが可能となる。
【図面の簡単な説明】
【００１６】
【図１】実施形態のファクシミリシステムの構成図。
【図２】実施形態のファクシミリ受信装置の構成を示すブロック図。
【図３】実施形態のＰＣの構成を示すブロック図。
【図４】実施形態のファクシミリ受信時の動作の概要を示すシーケンス図。
【図５】実施形態のＡＴコマンドの構成を説明するための説明図。
【図６】実施形態のＰＣで実行される印刷用プリンタ設定処理のフローチャート。
【図７】実施形態の印刷用プリンタ選択画面を示す説明図。
【図８】実施形態のファクシミリ受信装置で実行される受信可能サイズ設定処理のフローチャート。
【図９】実施形態のＰＣで実行されるデータ受信処理のフローチャート。
【図１０】実施形態のＰＣファクス管理画面を示す説明図。
【発明を実施するための形態】
【００１７】
以下、本発明の例示的な実施形態について図面を参照しながら説明する。
（１）ファクシミリシステムの概要
図１に示すように、本実施形態のファクシミリシステム２は、ファクシミリ受信装置３と、ＰＣ１０とを備える。「ＰＣ」は「Ｐｅｒｓｏｎａｌ  Ｃｏｍｐｕｔｅｒ」の略称である。
【００１８】
ＰＣ１０とファクシミリ受信装置３は、ネットワーク１０２に接続されており、ネットワーク１０２を介してデータ通信可能である。ネットワーク１０２は、例えば有線ＬＡＮである。ただし、ネットワーク１０２は、例えば無線ＬＡＮであってもよいし、有線ＬＡＮ及び無線ＬＡＮ以外の他のネットワークであってもよい。
【００１９】
ファクシミリ受信装置３は、ネットワーク通信網４に接続され、ネットワーク通信網４を介して他のファクシミリ装置からファクシミリデータを受信可能である。ネットワーク通信網４に接続されている他のファクシミリ装置には、図１に示すファクシミリ送信装置５が含まれる。ファクシミリ送信装置５は、ファクシミリ受信装置３に対してネットワーク通信網４を介してファクシミリデータを送信可能である。
【００２０】
なお、ファクシミリ受信装置３は、ファクシミリデータの受信のみ可能な構成であってもよいが、ファクシミリデータの送信も可能な構成であってもよい。本実施形態では、ファクシミリ受信装置３については、ファクシミリデータの受信時の動作についてのみ説明しているため、説明の便宜上、「ファクシミリ受信装置」と称している。ファクシミリ送信装置５についても同様であり、ファクシミリデータの送信のみ可能な構成であってもよいが、ファクシミリデータの受信も可能な構成であってもよい。
【００２１】
ファクシミリ受信装置３は、ファクシミリデータを受信して印刷する基本的機能に加え、受信したファクシミリデータを記憶部に保存し、その保存したファクシミリデータをＰＣ１０へ送信するメモリ受信機能を備えている。ファクシミリ受信装置３においてファクシミリデータの画像を印刷可能な記録紙のサイズは予め定められており、本実施形態では例えばＡ４である。
【００２２】
ＰＣ１０は、ＰＣファクス受信機能を備えている。ＰＣファクス受信機能は、ファクシミリ受信装置３においてメモリ受信機能により記憶部に保存されたファクシミリデータを、ファクシミリ受信装置３から受信する機能である。
【００２３】
ＰＣ１０においては、ＰＣファクス受信機能によりファクシミリ受信装置３から受信したファクシミリデータについて、そのファクシミリデータが示す画像を表示させて閲覧することができる。また、ＰＣ１０には、複数のプリンタ１１，１２，１３が接続されている。ＰＣ１０は、ＰＣファクス受信機能によりファクシミリ受信装置３から受信したファクシミリデータが示す画像を、何れかのプリンタで印刷させることができる。
【００２４】
ＰＣ１０に接続されているプリンタとして、本実施形態では、第１プリンタ１１、第２プリンタ１２、及び第３プリンタ１３がある。第１プリンタ１１及び第２プリンタ１２は、ネットワーク１０２を介してＰＣ１０と接続されている。第３プリンタ１３は、例えばＵＳＢによってＰＣ１０と接続されている。なお、ＰＣ１０と接続されるプリンタの数や接続インタフェースは上記例に限定されるものではない。
【００２５】
各プリンタ１１、１２、１３においては、印刷可能な記録紙のサイズが定められている。例えば、第１プリンタ１１で印刷可能な記録紙のサイズとしては、本実施形態ではＡ３、Ａ４、Ｂ５、レター、ハガキ、などの複数のサイズがある。他の第２プリンタ１２及び第３プリンタ１３においても、それぞれ、印刷可能な記録紙のサイズが定められている。
【００２６】
なお、プリンタ側で印刷可能な記録紙のサイズのうち最も大きいサイズを、以下、プリンタ側最大サイズとも称し、ファクシミリ受信装置３で受信可能な記録紙のサイズのうち最も大きいサイズを、以下、既定最大サイズとも称する。本実施形態では、第１プリンタ１１のプリンタ側最大サイズはＡ３であり、ファクシミリ受信装置３の既定最大サイズはＡ４である。
【００２７】
ＰＣ１０において、ファクシミリデータの画像を何れかのプリンタで印刷させたい場合は、その印刷させたいプリンタを、印刷用プリンタ選択画面７０（図７参照）から指定することができる。
【００２８】
（２）ファクシミリ受信装置の構成
図２に示すように、ファクシミリ受信装置３は、ＣＰＵ２１、記憶部２２、入力部２３、表示部２４、ネットワークインタフェース部（以下「ネットワークＩ／Ｆ」と称す）２５、通信インタフェース部（以下「通信Ｉ／Ｆ」と称す）２６、及び印刷部２７を備えている。
【００２９】
ＣＰＵ２１は、非遷移的実体的記憶媒体に格納されたプログラムを実行することにより各種機能を実現する。本実施形態では、記憶部２２が、プログラムを格納した非遷移的実体的記憶媒体に該当する。記憶部２２は、例えばＲＯＭ、ＲＡＭ、フラッシュメモリ等の半導体メモリを少なくとも１つ含む。なお、ＣＰＵ２１がプログラムを実行することにより実現される機能の一部又は全てを、論理回路やアナログ回路等を組み合わせたハードウェアを用いて実現してもよい。
【００３０】
以下の説明では、プログラムを実行するＣＰＵ２１のことを、単にプログラム名で記載する場合もある。例えば「プログラムは」という記載が「プログラムを実行するＣＰＵ２１は」を意味する場合もある。後述するＰＣ１０のＣＰＵ４１についても同様である。
【００３１】
入力部２３は、ユーザによる入力操作を受け付ける入力装置であり、不図示のタッチパネルや操作ボタンなどの各種の入力手段を有する。表示部２４は、画像を表示可能な表示デバイスとして例えば不図示の液晶ディスプレイを有する。入力部２３が有するタッチパネルは、表示部２４が有する表示デバイスにおける画像表示領域に重畳配置される。
【００３２】
ネットワークＩ／Ｆ２５は、ファクシミリ受信装置３をネットワーク１０２に接続するための通信インタフェースであり、ネットワーク１０２に接続されている。ファクシミリ受信装置３とＰＣ１０との各種データ通信は、ファクシミリ受信装置３においてはこのネットワークＩ／Ｆ２５を介して行われる。
【００３３】
通信Ｉ／Ｆ２６は、ネットワーク通信網４を介してファクシミリデータの送受信を行うための通信インタフェースであり、ネットワーク通信網４に接続されている。ファクシミリ受信装置３とファクシミリ送信装置５との、ファクシミリデータ受信を含む各種データ通信は、ファクシミリ受信装置３においてはこの通信Ｉ／Ｆ２６を介して行われる。
【００３４】
印刷部２７は、ネットワーク通信網４から通信Ｉ／Ｆ２６を介して受信されたファクシミリデータの画像を記録紙に印刷する機能を有する。印刷部２７は、例えばインクジェット方式、電子写真方式などの複数種類の印刷方式のうち何れかの方式にて印刷を実行するように構成されている。
【００３５】
印刷部２７は、記録紙を載置するための不図示の給紙トレイを少なくとも１つ備える。本実施形態の印刷部２７は、前述の通り、最大でＡ４サイズの記録紙に印刷することが可能に構成されている。
【００３６】
記憶部２２には、当該ファクシミリ受信装置３が有する各種機能を実現するための各種プログラムが記憶されている。記憶部２２に記憶されているプログラムの１つが、受信用プログラム３１である。受信用プログラム３１は、通信Ｉ／Ｆ２６を介してファクシミリデータの送受信を行う基本的機能及び前述のメモリ受信機能を実現するためのプログラムである。なお、記憶部２２には、前述の既定最大サイズを示す情報も記憶されている。
【００３７】
また、記憶部２２には、受信用バッファ３２及びテンポラリエリア３３が設定されている。受信用バッファ３２は、受信したファクシミリデータを保存するための記憶領域である。ファクシミリデータが受信されると、記憶部２２の受信用バッファ３２に記憶される。
【００３８】
テンポラリエリア３３は、ＰＣ１０からネットワークＩ／Ｆ２５を介してプリンタ側最大サイズを示す情報が受信された場合に、そのプリンタ側最大サイズを示す情報を保存するための記憶領域である。なお、テンポラリエリア３３に保存された情報は、例えば所定のリセット操作が行われた場合や、ファクシミリ受信装置３の電源がオフされた場合などで消去される。
【００３９】
（３）ＰＣ１０の構成
ＰＣ１０は、ＣＰＵ４１、記憶部４２、入力部４３、表示部４４、ネットワークＩ／Ｆ４５、及びＵＳＢインタフェース部（以下「ＵＳＢＩ／Ｆ」と称す）４６を備えている。なお、「ＵＳＢ」は、「Ｕｎｉｖｅｒｓａｌ  Ｓｅｒｉａｌ  Ｂｕｓ」の略称である。
【００４０】
ＣＰＵ４１は、非遷移的実体的記憶媒体に格納されたプログラムを実行することにより各種機能を実現する。本実施形態では、記憶部４２が、プログラムを格納した非遷移的実体的記憶媒体に該当する。記憶部４２は、例えばＲＯＭ、ＲＡＭ、フラッシュメモリ等の半導体メモリを少なくとも１つ含む。また、記憶部４２は、ハードディスクドライブを備えていてもよい。
【００４１】
記憶部４２には、ＯＳ５１、アプリケーションソフト５２、ＦＡＸ受信ソフト５３などの各種ソフトウェアのプログラムが記憶されている。なお、「ＯＳ」は「Ｏｐｅｒａｔｉｎｇ  Ｓｙｓｔｅｍ」の略称である。アプリケーションソフト５２は、例えば文書作成や表計算、画像処理などの各種の機能を実現するためのソフトウェアである。
【００４２】
ＦＡＸ受信ソフト５３は、前述のＰＣファクス受信機能を実現するためのソフトウェアである。ＰＣファクス受信機能によってファクシミリ受信装置３から受信されたファクシミリデータは、記憶部４２に記憶される。
【００４３】
入力部４３は、各種の入力用デバイスを有する。本実施形態の入力部４３は、キーボード、マウス、及びタッチパネルを有する。表示部４４は、液晶ディスプレイや有機ＥＬディスプレイなどの各種の表示デバイスを有する。
【００４４】
ネットワークＩ／Ｆ４５は、ＰＣ１０をネットワーク１０２に接続するための通信インタフェースであり、ネットワーク１０２に接続されている。ＰＣ１０とファクシミリ受信装置３との各種データ通信は、ＰＣ１０においてはこのネットワークＩ／Ｆ４５を介して行われる。また、第１プリンタ１１及び第２プリンタ１２とＰＣ１０との各種データ通信も、ＰＣ１０においてはこのネットワークＩ／Ｆ４５を介して行われる。
【００４５】
ＵＳＢＩ／Ｆ４６は、ＵＳＢ規格のデバイスを接続してデータ通信を行うためのインタフェースである。第３プリンタ１３は、ＵＳＢケーブルを介してＵＳＢＩ／Ｆ４６に接続される。
【００４６】
（４）ファクシミリ受信時の動作の概要
ファクシミリ受信装置３におけるファクシミリデータの受信時の動作について、図４を用いて説明する。図４は、ＰＣ１０においてＦＡＸ受信ソフト５３が起動してＰＣファクス受信機能が有効化されている場合の動作例である。
【００４７】
ＰＣ１０のＦＡＸ受信ソフト５３は、起動後、後述するように、ファクシミリデータを印刷させるプリンタのプリンタ側最大サイズと、ファクシミリ受信装置３の既定最大サイズとを比較して、プリンタ側最大サイズの方が大きい場合は、そのプリンタ側最大サイズを示す情報をファクシミリ受信装置３へ送信するように構成されている。本実施形態では、前述のように、プリンタ側最大サイズがＡ３で、ファクシミリ受信装置３の既定最大サイズはＡ４であるため、ＰＣ１０からファクシミリ受信装置３へプリンタ側最大サイズであるＡ３を示す情報が送信される。
【００４８】
ファクシミリ受信装置３の受信用プログラム３１は、ＰＣ１０からプリンタ側最大サイズを示す情報を受信すると、そのプリンタ側最大サイズを示す情報をテンポラリエリア３３に保存する。
【００４９】
ファクシミリ送信装置５からファクシミリ受信装置３への着信時には、ファクシミリ通信規格で定められた手順で信号の送受が行われた後、ファクシミリ送信側であるファクシミリ送信装置５から、ファクシミリ受信側であるファクシミリ受信装置３へ、ファクシミリデータが送信される。
【００５０】
具体的に、着信時には、ファクシミリ送信装置５からファクシミリ受信装置３へ「ＲＩＮＧ」信号が送信される。この「ＲＩＮＧ」信号に対し、ファクシミリ受信装置３は、ファクシミリ送信装置５へ、「ＡＴ＋ＦＤＩＳ」信号を送信する。この「ＡＴ＋ＦＤＩＳ」信号は、周知のＡＴコマンドの１つである。
【００５１】
「ＡＴ＋ＦＤＩＳ」信号は、ファクシミリ受信装置３が、ファクシミリ送信装置５に対して、ファクシミリデータを送信する際の各種条件を指定するための信号である。「ＡＴ＋ＦＤＩＳ」信号のフォーマットは、本実施形態では次のように定められている。即ち、「ＡＴ＋ＦＤＩＳ」信号には、画像の解像度を示す解像度情報、データ送信時のビットレートを示すビットレート情報、画像のページ幅を示すページ幅情報、画像のページ長を示すページ長情報、ファクシミリデータのデータ圧縮フォーマットを示す圧縮情報、及びエラー訂正方式を示すエラー訂正情報、などが含まれる。
【００５２】
「ＡＴ＋ＦＤＩＳ」信号は、これら各情報が、例えば、「解像度情報、ビットレート情報、ページ幅情報、ページ長情報、圧縮情報、エラー訂正情報、・・・」という順に配列されたフォーマットの信号である。各情報は、それぞれ既定ビット数のデジタル情報であり、図５に例示するように、情報毎に複数種類の値をとり得る。例えば解像度情報については、０又は１の何れかの値が設定される。
【００５３】
各情報のうち特に、ページ幅情報は、ファクシミリ受信側で印刷可能な記録紙の最大サイズである受信可能サイズを示す情報である。通常、このページ幅情報は、ファクシミリ受信装置３自身における印刷可能な最大サイズ、即ち前述の既定最大サイズが設定され、ファクシミリ送信装置５へ送信される。
【００５４】
本実施形態では、ファクシミリ受信装置３の既定最大サイズはＡ４である。そして、ページ幅情報を示す各値のうちＡ４サイズを示す値は、図５に例示するように、「０」である。そのため、「ＡＴ＋ＦＤＩＳ」信号におけるページ幅情報は、通常は、「０」に設定されて送信される。即ち、「ＡＴ＋ＦＤＩＳ」信号として、例えば、「１，５，０，２，０，０，０，２」という内容の信号が送信される。この例において、最初の値「１」は解像度情報、２番目の値「５」はビットレート情報、３番目の値「０」はページ幅情報、４番目の値「２」はページ長情報、５番目の値「０」は圧縮情報、６番目の値「０」はエラー訂正情報である。７番目以降の値については説明を省略する。
【００５５】
一方、本実施形態のファクシミリ受信装置３は、ＰＣ１０からプリンタ側最大サイズを示す情報が受信されてテンポラリエリア３３に保存されている場合は、「ＡＴ＋ＦＤＩＳ」信号におけるページ幅情報を示す値として、既定最大サイズに対応した値「０」ではなく、プリンタ側最大サイズに対応した値を設定する。
【００５６】
本実施形態では、プリンタ側最大サイズはＡ３であり、Ａ３に対応したページ幅情報は図５に示すように「２」である。そのため、本実施形態では、「ＡＴ＋ＦＤＩＳ」信号として、図４に例示するように、「１，５，２，２，０，０，０，２」という内容の信号が送信される。つまり、ページ幅情報を示す３番目の値が、「０」ではなく「２」に設定変更されて送信される。
【００５７】
ファクシミリ送信装置５は、ファクシミリ受信装置３から「ＡＴ＋ＦＤＩＳ」信号を正常に受信すると、ファクシミリ受信装置３へ、正常に受信したことを示す「ＯＫ」信号を送信する。その後も、ファクシミリ受信装置３からファクシミリ送信装置５への「ＡＴＡ」信号送信を含む、各種信号の送受信が行われる。
【００５８】
そして、ファクシミリ送信装置５は、ファクシミリ受信装置３から「ＡＴ＋ＦＤＩＳ」信号を受信すると、その受信した「ＡＴ＋ＦＤＩＳ」信号の内容に従って、原稿の読み取り、及び読み取った原稿のデータの送信準備などの各種処理を行う。
【００５９】
その際、例えば、原稿のサイズがＡ３であって、ファクシミリ受信装置３から受信したページ幅情報がＡ４を示すものであったとする。この場合、ファクシミリ送信装置５は、読み取ったＡ３の原稿の画像データをＡ４サイズの画像データに縮小し、その縮小した画像データをファクシミリデータとする。そのため、この例においては、ファクシミリ受信装置３からページ幅情報として既定最大サイズのＡ４を示す情報を送信した場合、Ａ３の画像データがＡ４に縮小されることになる。
【００６０】
これに対し、本実施形態では、既定最大サイズはＡ４であるものの、プリンタ側最大サイズが既定最大サイズよりも大きいＡ３であるため、ページ幅情報としてプリンタ側最大サイズを示す情報が送信される。そのため、ファクシミリ送信装置５では、読み取ったＡ３の原稿の画像データが縮小されることなくファクシミリデータとなる。
【００６１】
ファクシミリ送信装置５は、原稿を読み取って送信用のファクシミリデータを生成すると、ファクシミリ受信装置３へ、「ＡＴ＋ＦＤＣＳ」信号を送信する。この「ＡＴ＋ＦＤＣＳ」信号も、周知のＡＴコマンドの１つである。
【００６２】
「ＡＴ＋ＦＤＣＳ」信号は、ファクシミリ送信装置５が、ファクシミリ受信装置３に対して、これからファクシミリデータを送信すること、及びそのデータの内容やデータ送信方法などの各種情報を通知するための信号である。「ＡＴ＋ＦＤＣＳ」信号のフォーマットは、「ＡＴ＋ＦＤＩＳ」信号のフォーマットと基本的に同じである。
【００６３】
本実施形態では、前述の通り、ファクシミリ受信装置３から「ＡＴ＋ＦＤＩＳ」信号にて、ページ幅情報として自身の最大サイズを超えるサイズであるプリンタ側最大サイズを示す情報が送信される。これにより、ファクシミリ送信装置５では、Ａ３サイズの原稿の画像がＡ４サイズに縮小されることなく送信用のファクシミリデータとされる。そのため、ファクシミリ送信装置５から送信される「ＡＴ＋ＦＤＣＳ」信号における３番目の値、即ちページ幅情報を示す値も、図４に例示するように、Ａ３を示す「２」である。
【００６４】
ファクシミリ送信装置５は、「ＡＴ＋ＦＤＣＳ」信号を送信した後、Ａ３サイズの原稿の画像データを含むファクシミリデータをファクシミリ受信装置３へ送信する。
ファクシミリ受信装置３は、ファクシミリデータを受信すると、記憶部２２の受信用バッファ３２に保存する。そして、ＰＣ１０からその保存したファクシミリデータの要求を受けた場合に、そのファクシミリデータをＰＣ１０へ送信する。
【００６５】
（５）ＰＣのＦＡＸ受信ソフトによる印刷用プリンタ設定処理
ＰＣ１０のＦＡＸ受信ソフト５３の処理のうち、印刷用のプリンタを設定する印刷用プリンタ設定処理について、図６を用いて説明する。ＰＣ１０において、ＰＣファクス受信機能を有効化するためにＦＡＸ受信ソフト５３が起動され、受信したファクシミリデータを印刷させるプリンタを選択するための特定の操作が行われると、図６の印刷用プリンタ設定処理が行われる。
【００６６】
ＰＣ１０のＣＰＵ４１は、図６の印刷用プリンタ設定処理を開始すると、Ｓ１１０で、ＰＣ１０に接続されているプリンタを列挙する。ここでは、例えば、実際にＰＣ１０に接続されていてデータ通信可能な状態になっているプリンタを探索して列挙してもよいし、実際の接続状態とは無関係にプリンタドライバがインストールされているプリンタを探索して列挙するようにしてもよい。
【００６７】
Ｓ１２０では、Ｓ１１０で列挙した各プリンタの記録紙の最大サイズ、即ち各プリンタのプリンタ側最大サイズを取得する。各プリンタのプリンタ側最大サイズは、各プリンタと実際にデータ通信を行うことにより各プリンタから受信して取得してもよいし、例えばプリンタドライバのインストール時などの特定のタイミングで予め取得しておいて記憶部４２に記憶させておくようにしてもよい。
【００６８】
Ｓ１３０では、ファクシミリデータの印刷用のプリンタを選択させるためのプリンタ選択画面７０を表示部４４に表示させる。図７は、プリンタ選択画面７０の一例である。図７に例示するように、プリンタ選択画面７０には、Ｓ１１０で列挙したプリンタのプリンタ名がリストアップされたプリンタリスト７１が表示され、ユーザはその中から何れか１つを選択できる。
【００６９】
また、プリンタ選択画面７０には、最大用紙サイズ表示欄７２と、接続先表示欄７３と、設定ボタン７４とが表示される。
最大用紙サイズ表示欄７２には、プリンタリスト７１において選択されているプリンタにおける印刷可能な記録紙の最大サイズが表示される。そのため、ユーザは、ＰＣ１０に接続されている各プリンタの最大用紙サイズを個別に確認しながらプリンタを選択することができる。接続先表示欄７３には、プリンタリスト７１において選択されているプリンタがＰＣ１０とどのようなインタフェースで接続されているかを示す情報が表示される。
【００７０】
プリンタ選択画面７０において、ユーザによりプリンタが選択されて設定ボタン７４が押下されたら、Ｓ１４０で、その選択されたプリンタを、ファクシミリデータの画像を印刷させるプリンタとして設定する。
【００７１】
Ｓ１５０では、ファクシミリ受信装置３において印刷可能な記録紙の最大サイズ、即ち既定最大サイズを取得する。既定最大サイズは、実際にファクシミリ受信装置３とデータ通信を行うことによりファクシミリ受信装置３から受信して取得するようにしてもよいし、例えば、予め既定最大サイズを記憶部４２に記憶しておいてその記憶されている既定最大サイズを記憶部４２から読み出すことにより取得するようにしてもよい。
【００７２】
Ｓ１６０では。Ｓ１４０で設定された印刷用プリンタのプリンタ側最大サイズが、Ｓ１５０で取得したファクシミリ受信装置３の既定最大サイズより大きいか否か判断する。プリンタ側最大サイズが既定最大サイズと同じか若しくは既定最大サイズよりも小さい場合は、印刷用プリンタ設定処理を終了する。
【００７３】
プリンタ側最大サイズが既定最大サイズより大きい場合は、Ｓ１７０で、ファクシミリ受信装置３へ、印刷用プリンタのプリンタ側最大サイズを示す情報を送信する。
（６）ファクシミリ受信装置による受信可能サイズ設定処理
次に、ファクシミリ受信装置３において実行される受信可能サイズ設定処理について、図８を用いて説明する。ファクシミリ受信装置３において、メモリ受信機能を有効化するための特定の操作が行われてメモリ受信機能が有効化されると、図８の受信可能サイズ設定処理が周期的に実行される。この受信可能サイズ設定処理は、受信用プログラム３１により実行される各種処理の１つである。
【００７４】
ファクシミリ受信装置３のＣＰＵ２１は、図８の受信可能サイズ設定処理を開始すると、Ｓ２１０で、ＰＣ１０からプリンタ側最大サイズを示す情報を受信したか否か判断する。ＰＣ１０からプリンタ側最大サイズを示す情報を受信していない場合は、Ｓ２３０に進む。ＰＣ１０からプリンタ側最大サイズを示す情報を受信した場合は、Ｓ２２０で、その受信したプリンタ側最大サイズを示す情報を、記憶部２２のテンポラリエリア３３に書き込むことにより保存する。
【００７５】
Ｓ２３０では、ファクシミリ送信側からファクシミリ通信の着信があったか否か判断する。着信がない場合は、受信可能サイズ設定処理を終了する。着信があった場合は、Ｓ２４０で、テンポラリエリア３３に保存されている情報を取得する。Ｓ２５０では、既定最大サイズを取得する。
【００７６】
Ｓ２６０では、テンポラリエリア３３にプリンタ側最大サイズが書き込まれているか否か、即ち、Ｓ２４０でプリンタ側最大サイズが取得されたか否か判断する。テンポラリエリア３３にプリンタ側最大サイズが書き込まれていてそれがＳ２４０で取得された場合は、Ｓ２７０に進む。
【００７７】
Ｓ２７０では、ファクシミリ受信側における受信可能サイズとして、テンポラリエリア３３から取得されたプリンタ側最大サイズを設定する。これにより、「ＡＴ＋ＦＤＩＳ」信号が送信される際には、ページ幅情報の値として、プリンタ側最大サイズに対応した値が設定されることになる。
【００７８】
一方、Ｓ２６０で、テンポラリエリア３３にプリンタ側最大サイズが書き込まれていなかった場合、即ちプリンタ側最大サイズが既定最大サイズと同じ若しくは既定最大サイズより小さい場合は、Ｓ２８０に進む。
【００７９】
Ｓ２８０では、ファクシミリ受信側における受信可能サイズとして、既定最大サイズを設定する。これにより、「ＡＴ＋ＦＤＩＳ」信号が送信される際には、ページ幅情報の値として、既定最大サイズに対応した値が設定されることになる。
【００８０】
（７）ＰＣのＦＡＸ受信ソフトによるデータ受信処理
次に、ＰＣ１０のＦＡＸ受信ソフト５３の処理のうち、ファクシミリ受信装置３で受信されて記憶部２２の受信用バッファ３２に保存されているファクシミリデータを受信するためのデータ受信処理について、図９を用いて説明する。ＰＣ１０において、ＰＣファクス受信機能を有効化するためにＦＡＸ受信ソフト５３が起動されると、図９のデータ受信処理が実行される。
【００８１】
ＰＣ１０のＣＰＵ４１は、図９のデータ受信処理を開始すると、Ｓ４１０で、ファクシミリ受信装置３との通信を開始する。Ｓ４２０では、ファクシミリ受信装置３の受信用バッファ３２の内容を読み取る。Ｓ４３０では、受信用バッファ３２の内容に基づき、新たなファクシミリデータが受信されているか否か、即ちまだＰＣ１０で受信されていない新たなファクシミリデータが保存されているか否かを判断する。
【００８２】
新たなファクシミリデータが受信されていない場合は、Ｓ４２０に戻る。新たなファクシミリデータが受信されている場合は、Ｓ４４０で、ファクシミリ受信装置３から、その新たに受信されているファクリミリデータを受信する。具体的に、ファクシミリ受信装置３に対してデータ送信要求を行い、そのデータ送信要求に対してファクシミリ受信装置３から送信された新たなファクシミリデータを受信する。
【００８３】
Ｓ４５０では、Ｓ４５０で受信したファクシミリデータを記憶部４２に保存する。このように、ＰＣファクス受信機能においては、ファクシミリ受信装置３で新たなファクシミリデータが受信されると、その受信されたファクシミリデータがＰＣ１０へ送信され、ＰＣ１０に保存される。
【００８４】
ＰＣ１０に保存されているファクシミリデータは、図１０に例示するＰＣファクス管理画面６０において適宜処理することができる。ＰＣファクス管理画面６０には、ＰＣファクス受信機能によってＰＣ１０で受信、保存されたファクシミリデータの項目が、受信データリスト６１としてリストアップされる。
【００８５】
受信データリスト６１の中から特定のファクシミリデータを選択すると、そのファクシミリデータのプレビュー画像６３が、プレビュー表示領域６２に表示される。また、受信データリスト６１の中から特定のファクシミリデータを選択し、印刷実行ボタン６５を押下すると、そのファクシミリデータの画像がプリンタにて印刷される。このとき印刷が実行されるプリンタは、図６の印刷用プリンタ設定処理のＳ１４０で印刷用プリンタとして設定されたプリンタである。
【００８６】
ＰＣファクス管理画面６０には、印刷用プリンタ表示欄６４が設けられており、この印刷用プリンタ表示欄６４に、現在設定されている印刷用プリンタのプリンタ名が表示される。そのため、ユーザは、どのプリンタで印刷されるように設定されているのかを確認した上で、ファクシミリデータの印刷を実行させることができる。
【００８７】
（８）実施形態の効果
以上説明した実施形態によれば、以下の効果が得られる。
即ち、本実施形態のファクシミリシステム２によれば、ファクシミリ受信時、プリンタ側最大サイズが既定最大サイズよりも大きい場合は、サイズ情報としてプリンタ側最大サイズを示す情報がファクシミリ送信側に送信される。これにより、ファクシミリ送信側では、プリンタ側最大サイズに基づいて、画像サイズの縮小の要否や、縮小する場合における縮小率などが決定される。そのため、ファクシミリ受信装置３の既定サイズがファクシミリ送信側の元の画像のサイズよりも小さくても、プリンタ側最大サイズを考慮したサイズの画像をファクシミリ送信側から送信させることが可能となる。
【００８８】
具体的に、本実施形態では、ファクシミリ受信装置３自身の既定最大サイズはＡ４であるが、印刷用プリンタとして、プリンタ側最大サイズがＡ３のプリンタが選択されると、ファクシミリ着信時、ファクシミリ送信側には、既定最大サイズのＡ４ではなくプリンタ側最大サイズのＡ３が通知される。そのため、ファクシミリ送信側で仮にＡ３サイズの原稿が読み取られた場合に、その読み取られた画像データが縮小されることなくファクシミリ受信装置３へ送信される。
【００８９】
よって、その受信されたファクシミリデータの画像の判読性を良好に保持することができる。即ち、Ａ３サイズの画像を例えばＰＣ１０で閲覧したり、印刷用プリンタに設定されているプリンタに対してＡ３サイズで印刷させることができる。
【００９０】
また、ＰＣ１０は、プリンタ側最大サイズとファクシミリ受信装置３の既定最大サイズとを比較し、プリンタ側最大サイズの方が大きい場合に、そのプリンタ側最大サイズをファクシミリ受信装置３へ送信する。そして、ファクシミリ受信装置３は、ＰＣ１０からプリンタ側最大サイズが受信された場合に、プリンタ側最大サイズを示すサイズ情報をファクシミリ送信側へ送信する。そのため、ファクシミリ受信装置３は、プリンタ側最大サイズの受信有無に基づいて、プリンタ側最大サイズに応じたサイズ情報を容易にファクシミリ送信側へ送信することができる。
【００９１】
また、ＰＣ１０は、ファクシミリ受信装置３から実際に既定最大サイズを受信して、その受信した既定最大サイズとプリンタ側最大サイズとの比較を行う。そのため、プリンタ側最大サイズと既定最大サイズとの比較を容易且つ確実に行うことができる。
【００９２】
また、ファクシミリ受信装置３は、ＰＣ１０からプリンタ側最大サイズが受信されたらそれを記憶部２２のテンポラリエリア３３に保存しておく。そして、ファクシミリ受信時に、テンポラリエリア３３におけるプリンタ側最大サイズの有無に基づいて、受信可能サイズを示す情報をファクシミリ送信側へ送信する。そのため、プリンタ側最大サイズが既定最大サイズよりも大きい場合に、プリンタ側最大サイズを示す情報をより確実にファクシミリ送信側へ送信することができる。
【００９３】
また、ＰＣ１０は、印刷用プリンタ設定処理において、接続されている各プリンタから個別に、印刷可能な記録紙の最大サイズを受信する。そして、各プリンタの中から印刷用プリンタが選択されて設定された場合、その設定された印刷用プリンタのプリンタ側最大サイズを示す情報をファクシミリ受信装置３へ送信する。そのため、印刷を実行させるプリンタのプリンタ側最大サイズを示す情報を、ファクシミリ送信側へ容易に送信させることができる。
【００９４】
また、ＰＣ１０において印刷用プリンタを選択するためのプリンタ選択画面（図７参照）には、選択可能なプリンタの名称に加えて、各プリンタの最大用紙サイズを示す情報も表示される。そのため、ユーザは、各プリンタの最大用紙サイズを確認しながら、ファクシミリデータを印刷させたいプリンタを効率良く選択することができる。
【００９５】
（９）特許請求の範囲との対応関係
ここで、本実施形態の文言と特許請求の範囲の文言との対応関係について説明する。
ＰＣ１０は情報処理装置の一例に相当し、各プリンタ１１，１２，１３はいずれも印刷装置の一例に相当し、ファクシミリ受信装置３はファクシミリ装置の一例に相当する。
【００９６】
ＰＣ１０において、ネットワークＩ／Ｆ４５及びＵＳＢＩ／Ｆ４６はいずれも第１の通信部の一例に相当し、このうちネットワークＩ／Ｆ４５は、第２の通信部の一例にも相当する。また、ＰＣ１０のＣＰＵ４１は第１の制御部の一例に相当する。ファクシミリ受信装置３において、ネットワークＩ／Ｆ２５は第３の通信部の一例に相当し、通信Ｉ／Ｆ２６は第４の通信部の一例に相当し、ＣＰＵ２１は第２の制御部の一例に相当する。
【００９７】
また、プリンタ側最大サイズは、印刷装置側最大サイズに相当する。「ＡＴ＋ＦＤＩＳ」信号に含まれるページ幅情報は、サイズ情報の一例に相当する。
図６において、Ｓ１２０は印刷装置側受信処理に相当し、Ｓ１３０は表示処理に相当し、Ｓ１３０〜Ｓ１４０は入力処理に相当し、Ｓ１５０は既定受信処理に相当し、Ｓ１７０は情報送信処理に相当する。また、図９のＳ４４０は、第２のファクシミリデータ受信処理に相当する。
【００９８】
図８において、Ｓ２１０〜Ｓ２２０は情報受信処理に相当し、Ｓ２２０は記憶処理に相当する。また、図４に示した、ファクシミリ受信装置３が「ＡＴ＋ＦＤＩＳ」信号を送信する処理は、サイズ情報送信処理に相当する。また、図４において、ファクシミリ受信装置３がファクシミリ送信装置５からファクシミリデータを受信する処理は、第１のファクシミリデータ受信処理に相当し、その受信したファクシミリデータを受信用バッファ３２に保存する処理はデータ記憶処理に相当する。
【００９９】
［他の実施形態］
以上、本発明を実施するための形態について説明したが、本発明は上述の実施形態に限定されることなく、種々変形して実施することができる。
【０１００】
（１）上記実施形態では、ＰＣ１０において、プリンタ側最大サイズと既定最大サイズとを比較し、プリンタ側最大サイズの方が大きい場合に、そのプリンタ側最大サイズを示す情報をファクシミリ受信装置３へ送信する構成であった。これに対し、比較結果にかかわらず、或いは比較自体をＰＣ１０では行わずに、プリンタ側最大サイズをファクシミリ受信装置３へ送信するようにしてもよい。
【０１０１】
その場合、ファクシミリ受信装置３は、例えば、ＰＣ１０から送信されたプリンタ側最大サイズと自身の既定最大サイズとを比較し、プリンタ側最大サイズの方が大きい場合に、プリンタ側最大サイズを、ファクシミリ受信側における受信可能サイズに設定するようにしてもよい。
【０１０２】
（２）ファクシミリ受信側の受信可能サイズをファクシミリ送信側へ通知する方法として、「ＡＴ＋ＦＤＩＳ」信号にて通知することは、あくまでも一例であり、他の方法で通知するようにしてもよい。また、その通知するタイミングについても、「ＡＴ＋ＦＤＩＳ」信号を送信するタイミングに限定されるものではない。
【０１０３】
（３）情報処理装置として、ＰＣ１０はあくまでも一例であり、ＰＣ１０以外の他の構成の情報処理装置に対しても本発明を適用可能である。ファクシミリ装置についても、ファクシミリ受信装置３はあくまでも一例であり、ファクシミリ受信装置３以外の他の構成のファクシミリ装置に対しても本発明を適用可能である。
【０１０４】
（４）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。なお、特許請求の範囲に記載した文言のみによって特定される技術思想に含まれるあらゆる態様が本発明の実施形態である。
【０１０５】
（５）上述したファクシミリシステム２の他、当該ファクシミリシステム２を構成するＰＣ１０やファクシミリ受信装置３、ＰＣ１０としてコンピュータを機能させるためのプログラム、ファクシミリ受信装置３としてコンピュータを機能させるためのプログラム、これらプログラムを記録した媒体、当該ファクシミリシステム２で用いられている方法など、種々の形態で本発明を実現することもできる。
【符号の説明】
【０１０６】
２…ファクシミリシステム、３…ファクシミリ受信装置、４…ネットワーク通信網、５…ファクシミリ送信装置、１０…ＰＣ、１１…第１プリンタ、１２…第２プリンタ、１３…第３プリンタ、２１，４１…ＣＰＵ、２２，４２…記憶部、２３，４３…入力部、２４，４４…表示部、２５，４５…ネットワークＩ／Ｆ、２６…通信Ｉ／Ｆ、２７…印刷部、３１…受信用プログラム、３２…受信用バッファ、３２…記憶部、３３…テンポラリエリア、４６…ＵＳＢＩ／Ｆ、５３…ＦＡＸ受信ソフト、６０…ＰＣファクス管理画面、７０…印刷用プリンタ選択画面、７０…プリンタ選択画面、７１…プリンタリスト、７２…最大用紙サイズ表示欄、７３…接続先表示欄、７４…設定ボタン、１０２…ネットワーク。
【図１】
0006690363.tif 000002
【図２】
0006690363.tif 000003
【図３】
0006690363.tif 000004
【図４】
0006690363.tif 000005
【図５】
0006690363.tif 000006
【図６】
0006690363.tif 000007
【図７】
0006690363.tif 000008
【図８】
0006690363.tif 000009
【図９】
0006690363.tif 000010
【図１０】
0006690363.tif 000011